(57)【要約】【課題】複数のパネルを相互に連結してなるパネル構造体を容易に施工する。【解決手段】連結柱１６は、隣り合うパネル本体１７を相互に連結して該パネル本体１７よりも大面積のパネル構造体１１を構築する連結柱１６であって、相互に連結されるべき隣り合うパネル本体１７の一方のパネル本体１７の端部に固定されてその端部に沿って延在するオス柱部材１８と、他方のパネル本体１７の、上記一方のパネル本体１７の端部と対向する端部に固定されてその端部に沿って延在し、オス柱部材１８の一部２５を受容して掛止するメス柱部材１９とを備える。【選択図】図４
2017206840.tif 000002
【特許請求の範囲】
【請求項１】
隣り合うパネル本体を相互に連結して該パネル本体よりも大面積のパネル構造体を構築する連結柱であって、
相互に連結されるべき隣り合うパネル本体の一方のパネル本体の端部に固定されてその端部に沿って延在するオス柱部材と、他方のパネル本体の、前記一方のパネル本体の端部と対向する端部に固定されてその端部に沿って延在し、前記オス柱部材の一部を受容して掛止するメス柱部材とを備えることを特徴とする連結柱。
【請求項２】
前記オス柱部材と前記メス柱部材の掛止状態にて前記隣り合うパネル本体間に隙間を形成するよう構成されている、請求項１に記載の連結柱。
【請求項３】
前記オス柱部材は、パネル本体の背面に固定される固定壁と該固定壁の、前記連結方向の両端からパネル本体の背面に対し離間する方向へ突出する２つの側壁とを有して背面側が開放された断面略Ｃ字状に形成されている、請求項１または２に記載の連結柱。
【請求項４】
前記メス柱部材は、パネルの背面に固定される固定壁と該固定壁の、前記連結方向の両端からパネル本体の背面に対し離間する方向へ突出する２つの側壁とを有して背面側が開放された断面略Ｃ字状に形成されている、請求項１から３までのいずれか一項に記載の連結柱。
【請求項５】
前記オス柱部材は、前記メス柱部材に設けられたスリットに突入して掛止される差込舌片を有する、請求項１から４までのいずれか一項に記載の連結柱。
【請求項６】
パネル本体の端部に請求項１から５までのいずれか一項に記載の連結柱のオス柱部材が固定されるとともに、該パネル本体の、前記端部とは反対側の他方の端部に請求項１から５までのいずれか一項に記載のメス柱部材が固定されていることを特徴とするパネル。
【請求項７】
請求項６に記載の複数のパネルを備え、隣り合う前記パネルは、一方のパネルに設けられた前記オス柱部材が他方のパネルに設けられた前記メス柱部材に掛止されることにより相互に連結されていることを特徴とするパネル構造体。
【発明の詳細な説明】
【技術分野】
【０００１】
本発明は、隣り合うパネルを相互に連結して当該パネルよりも大面積のパネル構造体を構築する連結柱、この連結柱を備えたパネル、さらにはこのパネルを複数連結させてなるパネル構造体に関する。
【背景技術】
【０００２】
隣り合うパネル同士を連結する連結柱として、特許文献１には、下地壁面に沿って並設状態で隣り合う壁板を連設する間柱材が開示されており、この間柱材はその両側部に壁板嵌入部をそれぞれ備えるとともに、該壁板嵌入部の後方にＬ字状の脚片をそれぞれ連設してなり、間柱材の脚片の当接部を下地壁面に釘等を用いて取り付け、隣り合う間柱材の壁板嵌入部に板材の側端部分を嵌入することによって壁面を構成するものである。
【先行技術文献】
【特許文献】
【０００３】
【特許文献１】実公昭６３−４０９８号
【発明の概要】
【発明が解決しようとする課題】
【０００４】
しかしながら、従来の間柱材は壁板とは別々の構成となっており、施工現場で組み立てていく必要があった。つまり、まず間柱材を必要な本数だけ下地壁面に取り付け、その後、壁板を取り付けるという手順で施工され、間柱材を下地壁面に取り付ける際は、予めすべての間柱材について、各々の取り付け位置（水平方向、垂直方向、高さ、間柱材間のピッチ）を墨出しする必要があった。その後、これらの間柱材間に、壁板を必要な大きさにカットしてから組み付けていかなければならず、これらの一連の作業が煩雑であり作業効率が非常に悪かった。
【０００５】
本発明は、上記事情に鑑みてなされたものであり、本発明の目的は、複数のパネルを相互に連結してなるパネル構造体を容易に施工することにある。
【課題を解決するための手段】
【０００６】
本発明は上記課題を解決するためになされたものであり、本発明の連結柱は、
隣り合うパネル本体を相互に連結して該パネル本体よりも大面積のパネル構造体を構築する連結柱であって、
相互に連結されるべき隣り合うパネル本体の一方のパネル本体の端部に固定されてその端部に沿って延在するオス柱部材と、他方のパネル本体の、前記一方のパネル本体の端部と対向する端部に固定されてその端部に沿って延在し、前記オス柱部材の一部を受容して掛止するメス柱部材とを備えることを特徴とするものである。
【０００７】
なお、本発明の連結柱にあっては、前記オス柱部材と前記メス柱部材の掛止状態にて前記隣り合うパネル本体間に隙間を形成するよう構成されていることが好ましい。
【０００８】
また、本発明の連結柱にあっては、前記オス柱部材は、パネル本体の背面に固定される固定壁と該固定壁の、前記連結方向の両端から前記パネル本体の背面に対し離間する方向に突出する２つの側壁とを有して背面側が開放された断面略Ｃ字状に形成されていることが好ましい。
【０００９】
さらに、本発明の連結柱にあっては、前記メス柱部材は、パネルの背面に固定される固定壁と該固定壁の、前記連結方向の両端から前記パネル本体の背面に対し離間する方向に突出する２つの側壁とを有して背面側が開放された断面略Ｃ字状に形成されていることが好ましい。
【００１０】
さらに、本発明の連結柱にあっては、前記オス柱部材は、前記メス柱部材に設けられたスリットに突入して掛止される差込舌片を有することが好ましい。
【００１１】
また、本発明のパネルは、パネル本体の端部に上記連結柱のオス柱部材が固定されるとともに、該パネル本体の、前記端部と反対側の他方の端部に上記メス柱部材が固定されていることを特徴とするものである。
【００１２】
また、本発明のパネル構造体は、複数の上記パネルからなり、隣り合う上記パネルは、一方のパネルに設けられたオス柱部材が他方のパネルに設けられたメス柱部材に掛止されることにより相互に連結されていることを特徴とするものである。
【発明の効果】
【００１３】
本発明の連結柱によれば、相互に連結されるべき隣り合うパネル本体の一方のパネル本体の端部に固定されてその端部に沿って延在するオス柱部材と、他方のパネル本体の対向する端部に固定されてその端部に沿って延在する、オス柱部材の差込舌片を受容して掛止するメス柱部材とを備える構成としたことから、隣り合うパネル本体のうちの一方に固定されたオス柱部材を、隣り合うパネル本体のうちの他方に固定されたメス柱部材に掛止させるだけで隣り合うパネル本体同士を位置決め状態で連結することができる。したがって、上記従来の間柱材と比べて、墨出し作業を大幅に簡略化することができるとともに、パネルを施工現場でカットしたり、組み付けの際にパネルの位置を調整したりする必要もなく、パネル構造体を容易に構築することができる。なお、オス柱部材とメス柱部材の掛止状態にて隣り合うパネル本体間に隙間が形成されるように構成すれば、パネル本体間に容易にかつ高精度に隙間を設けることができ、その隙間を利用して棚板等の支持具を配設することができる。
【図面の簡単な説明】
【００１４】
【図１】本発明の一実施形態のパネル構造体からなるディスプレイウォールを示す斜視図である。
【図２】図１のディスプレイウォールに棚板や収納ボックスなどの機能物を取り付けた様子を示す斜視図である。
【図３】本発明の一実施形態のパネルを示し、（ａ）は平面図であり、（ｂ）は中間部を省略した正面図である。
【図４】図１のパネル構造体の一部を示す横断面図である。
【図５】本発明の一実施形態の連結柱におけるオス柱部材を示し、（ａ）は平面図であり、（ｂ）、（ｃ）および（ｄ）は、それぞれ中間部を省略した正面図、右側面図および背面図である。
【図６】本発明の一実施形態の連結柱におけるメス柱部材を示し、（ａ）は平面図であり、（ｂ）および（ｃ）は、それぞれ中間部を省略した左側面図および正面図である。
【図７】所定の下地工事を施した下地壁面を示す斜視図である。
【図８】下地壁面に垂直墨出しを行う様子を示す斜視図である。
【図９】下地壁面に右エンドパネルを取り付ける様子を示す斜視図である。
【図１０】右エンドパネルのメス柱部材にパネルのオス柱部材を連結させる様子を示す横断面図であり、（ａ）は連結前、（ｂ）は連結後を示すものである。
【図１１】パネルのメス柱部材を固定ネジを用いて下地壁面に固定する様子を示す斜視図である。
【図１２】複数のパネルを連結させながら順次取り付ける様子を示し斜視図である。
【図１３】左エンドパネルのパネル本体を背面側から示した斜視図である。
【図１４】パネルのメス柱部材にオス柱部材を単体で掛着させ、当該オス柱部材に接着剤を塗布する様子を示した斜視図である。
【図１５】最後に取り付けたオス柱部材に右エンドパネルを構成するパネル本体を取り付ける様子を示した斜視図である。
【図１６】本発明の他の実施形態のパネル構造体を一部省略して示す横断面図である。
【図１７】本発明の他の実施形態の連結柱におけるメス柱部材を示し、（ａ）は平面図であり、（ｂ）および（ｃ）は、それぞれ中間部を省略した左側面図および正面図である。
【図１８】本発明のさらに他の実施形態の連結柱を示し、（ａ）はオス柱部材を一部省略して示す正面図であり、（ｂ）は右エンドパネルのメス柱部材にパネルのオス柱部材を連結させた状態で示す横断面図である。
【発明を実施するための形態】
【００１５】
以下、本発明の実施の形態を図面に基づき説明する。本実施形態では、パネル構造体に、棚板や収納ボックス、デスク、ハンギングバーなどの機能物を取り付けてなるディスプレイウォールの一部に本発明を具体化しており、このディスプレイウォールは、パネルの連結構造に特徴を有するものとなっている。なお、上下方向または縦方向とは鉛直方向、つまり床面から天井に向かう方向またはその逆方向を意味し、左右方向、幅方向または側方とは、鉛直方向に直交する方向、つまりパネル構造体に正対したときの左右方向を意味し、前方とは、パネルの裏面から表面に向かう方向を意味し、後方とは、パネルの表面から裏面に向かう方向を意味するものとする。
【００１６】
まずはディスプレイウォールについて簡単に説明する。図１に示すディスプレイウォール１０において、パネル構造体１１は、内壁などの下地壁面Ｗの少なくとも一部を覆うように配置されるとともに該下地壁面Ｗに固定された複数のパネル１２と、正面視で最も右側に位置するパネル１２の右隣に設けられた右エンドパネル１３と、正面視で最も左側に位置するパネル１２の左隣に設けられた左エンドパネル１４とを備えて構成されている。隣り合うパネル１２間、パネル１２と右エンドパネル１３との間、およびパネル１２と左エンドパネル１４との間には、幅方向に一定の間隔をおいて縦方向に延在する隙間Ｓがそれぞれ形成されていて、その隙間ＳにブラケットＢの掛止片ｂ１を差し込むとともに当該隙間Ｓから露出する後述の連結柱１６の掛着孔１６ａに当該掛止片ｂ１を掛着させることで、図２に示すように、当該ブラケットＢを介して棚板ｆ１や収納ボックスｆ２、デスクｆ３、ハンギングバーｆ４などの機能物をパネル構造体１１に取り付けることができる。なお、図１に示したブラケットＢは棚板ｆ１用であって、ブラケットＢの形状は取り付ける機能物に応じて適宜変更可能である。また、図示は省略するが、隙間Ｓを、ブラケットＢを適度に挟み込み、脱落防止の効果を有する寸法に設定することもできる。
【００１７】
次に、本発明に係る一実施形態の連結柱１６を備える、本発明に係る一実施形態のパネル１２の構成について説明する。図３はパネル１２を示し、（ａ）は平面図であり、（ｂ）は中間部を省略した正面図である。
【００１８】
図３に示すように、パネル１２は予め所定寸法の矩形状に形成されたパネル本体１７と、当該パネル本体１７の一方の側方端部に沿って延在するとともに当該側方端部に固定されたオス柱部材１８と、パネル本体１７の、上記一方の側方端部とは反対側の他方の側方端部に沿って延在するとともに当該側方端部に固定されたメス柱部材１９とを有している。パネル本体１７は、所定の強度を有する板状部材であり、パーティクルボードや合板、中間密度繊維板（ＭＤＦ）、単板積層材（ＬＶＬ）、軽金属板、鋼板、アクリル板など種々のものを使用することができる。
【００１９】
オス柱部材１８は、図４に、図３に示したパネル１２を複数、左右方向に相互に連結した状態で示すように、相互に連結されるべき隣り合う他のパネル本体（図では右隣のパネル本体）１７の対向する側方端部に設けられたメス柱部材１９に掛止されて一つの連結柱１６を構成するものである。同様に、メス柱部材１９は、相互に連結されるべき隣り合う他のパネル本体（図では左隣のパネル本体）１７の対向する側方端部に設けられたオス柱部材１８を掛止して一つの連結柱１６を構成するものである。相互に掛合されるオス柱部材１８とメス柱部材１９とは、掛止状態で相互に連結されたパネル本体１７の上端が面一となるようパネル本体１７に位置決めされている。図示例では、オス柱部材１８およびメス柱部材１９は、固定ビスｋ１によりパネル本体１７の裏面にそれぞれ固定されているが、これに限られず、釘やリベットなどの他の固定具、接着剤、溶接等によりパネル本体１７に固定してもよい。また、メス柱部材１９は、固定ネジｋ２により下地壁面Ｗに固定されているが、これに限られず、釘やリベットなどの他の固定具、接着剤、溶接等により下地壁面Ｗに固定してもよい。なお、パネル１２のオス柱部材１８は下地壁面Ｗに直接は固定されず、メス柱部材１９に掛止されることで下地壁面Ｗに固定される。
【００２０】
オス柱部材１８は、例えば、熱延鋼板等の金属板をプレス成形することにより形成された長尺材であり、図５（ａ）に示すように、背面側が開放された断面略Ｃ字状または略コ字状に形成されている。すなわち、オス柱部材１８は、パネル本体１７の裏面に沿って延びるとともに当該裏面に固定ビスｋ１で固定される固定壁１８ａと、固定壁１８ａの上下方向に延びる側方端縁のうち、パネル幅方向視で内側に位置する側方端縁からパネル本体１７に対し離間するように後方に延出された内側の側壁１８ｂと、固定壁１８ａの上下方向に延びる側方端縁のうち、パネル幅方向視で外側に位置する側方端縁からパネル本体１７に対し離間するように後方に延出された外側の側壁１８ｃとを有している。なお、オス柱部材１８は、アルミニウムまたはアルミニウム合金などの金属材料を押出成形することにより製造することもでき、繊維強化プラスチック等をモールド成形、押出成形またはプレス成形することにより製造することもできる。
【００２１】
固定壁１８ａは、図５（ｂ），（ｄ）に示すように、固定ビスｋ１が挿通される長孔形状の第１の開孔２１を有しており、これにより、オス柱部材１８は図４に示すように固定ビスｋ１を介してパネル本体１７に予め固定される。また、固定壁１８ａには、上下方向に整列され、ブラケットＢの掛止片ｂ１が掛着される上述した複数の矩形の掛着孔１６ａと、ここでは図示しない皿ネジ形の固定ネジｋ３が挿通される皿孔形状の第２の開孔２２と、ここでは図示しない掛着ピンが挿通されるだるま孔形状の第３の開孔２３とが形成されている。
【００２２】
内側の側壁１８ｂは、図４および図５（ａ）に示すように、外側の側壁１８ｃよりも後方への延出長さが大であり、その後端縁にはパネル幅方向外側に延出し、下地壁面Ｗに当接可能な当接壁１８ｄが連設されている。当接壁１８ｄには、図５（ｄ）に示すように、第１の開孔２１および第２の開孔２２と対向する位置に切欠き部１８ｄ１が設けられている。一方、外側の側壁１８ｃは下地壁面Ｗの手前で終端するとともに、その後端縁にはパネル幅方向外側に延出する翼壁１８ｅが連設されている。
【００２３】
翼壁１８ｅには、当該オス柱部材１８と連結されるメス柱部材１９に形成された後述するスリット３０（図６参照）に差込み可能な差込舌片２５が上下方向に間隔を置いて複数形成されている。各差込舌片２５の下部には上方に向けて切り欠かれたアンダーカット２５ａが形成されており、差込舌片２５をメス柱部材１９の対応するスリット３０に差し込むとともに当該アンダーカット２５ａにスリット３０の下端の縁部を掛合させることにより、差込舌片２５をメス柱部材１９に掛止させて、オス柱部材１８とメス柱部材１９、ひいては隣り合うパネル１２同士を連結することができる。差込舌片２５は翼壁１８ｅの基端位置から離間して形成されており、これにより、オス柱部材１８のプレス成型時にアンダーカット２５ａへの加工ひずみの集中を回避することができ、差込舌片２５の形状精度を向上させることができるとともに、後述するように、パネル１２を組み付ける際に、オス柱部材１８の差込舌片２５をメス柱部材１９のスリット３０へ斜めに差し込み易くすることができる。
【００２４】
アンダーカット２５ａは、差込舌片２５の下端からの切欠き深さが最も大きくなる頂部２５ａ１と、この頂部２５ａ１からパネル幅方向外側に延びるとともにパネル幅方向外側に向かうに連れてその切欠き深さを減少させる傾斜部２５ａ２とを有し、さらに当該傾斜部２５ａ２と差込舌片２５の側縁２５ｃとの間の角部（差込舌片の下端部）２５ａ３に丸みを有している。角部２５ａ３に丸みを設けることにより、差込舌片２５をスリット３０に挿入する際にアンダーカット２５ａの当該角部２５ａ３がスリット３０の下端の縁部を円滑に乗り越えることができる。これを確実にするため、丸みの曲率半径は３〜５ｍｍの範囲内とすることが好ましく、３．５ｍｍとすることがより好ましい。丸みの曲率半径が３ｍｍ未満の場合には、角部２５ａ３がスリット３０の下端の縁部を円滑に乗り越えられない可能性があり、５ｍｍを超えるとアンダーカット２５ａの深さを十分に確保できない場合がある。また、丸みを有する角部２５ａ３に続いて傾斜部２５ａ２を設けることにより、差込舌片２５をスリット３０内に挿入する際、傾斜部２５ａ２が当該スリット３０の下端の縁部に案内されるので、差込舌片２５をスリット３０内に安定してかつ円滑に挿入することができる。傾斜部２５ａ２の、側縁２５ｃに対する傾斜角度αは２０°以上４５°以下とすることがより好ましい。当該傾斜角度αが２０°未満の場合には、差込舌片２５をスリット３０内に円滑に挿入する効果が十分に得られない可能性があり、４５°を超えるとアンダーカット２５ａの深さを十分に確保できない場合があるからである。この傾斜部２５ａ２は、図示例では直線状に延在するが、凸または凹曲線状に延在するものであってもよい。また、角部２５ａ３がスリット３０の下端縁部を乗り越える際、天井方向への移動距離が大きいと、パネル１２が天井に当たってしまう恐れがある。そのため、角部２５ａ３がスリット３０の下端縁部を乗り越える際にパネル１２が天井に当たるのを防ぐ観点から、頂部２５ａ１から角部２５ａ３の下端までの上下方向の距離は１０ｍｍ以上２０ｍｍ以下とすることが好ましい。
【００２５】
また、頂部２５ａ１の、パネル幅方向に沿った長さｗ１を、メス柱部材１９の板厚よりも僅かに大きく設定しておくことにより、メス柱部材１９の板厚の影響を受けることなく、アンダーカット２５ａの頂部２５ａ１をスリット３０の下端の縁部に確実に当接、掛合させて、安定した掛止状態を維持することができる。図示例では、頂部２５ａ１の長さｗ１をメス柱部材１９の板厚に対して僅かに（例えば１ｍｍ程度）大きく設定している。この遊び寸法の大きさは、壁の歪みを許容する最適値から導き出すことができる。
【００２６】
また、差込舌片２５の上部には、差込舌片２５の根元から側縁２５ｃに向けて下方に傾斜した傾斜部２５ｂを設けることが好ましく、これにより差込舌片２５をスリット３０内に挿入し易くすることができる。当該傾斜部２５ｂの、側縁２５ｃに対する傾斜角度βは９０°以上１３０°以下とすることが好ましく、１２０°とすることがより好ましい。
【００２７】
このような構成を有する差込舌片２５は、オス柱部材１８の掛着孔１６ａのピッチの２倍〜５倍分の上下方向長さＬ１を有することが好ましい。このような長さＬ１とすることで、掛着孔１６ａにブラケットＢを介して機能物を掛着した際に、その荷重を差込舌片２５を通じてメス柱部材１９に十分に分散させることができるからであり、図示例では差込舌片２５の上下方向長さＬ１は掛着孔１６ａのピッチの約４倍としている。また、隣り合うパネル１２の安定した連結状態を維持する観点から、上下に隣接する差込舌片２５の間隔は差込舌片２５の上下方向長さＬ１の８０％以上１３０％以下とすることが好ましい。上下に隣接する差込舌片２５の間隔が大きすぎると、すなわちオス柱部材１８の全長に対して差込舌片２５の個数が少なすぎると、隣り合うパネル１２間で荷重を十分に支えあうことができず、パネル１２の変位（よじれ）が生じる恐れがあり、上下に隣接する差込舌片２５の間隔が小さすぎると、すなわちオス柱部材１８の全長に対して差込舌片２５の個数が多すぎると、すべての差込舌片２５をメス柱部材１９のスリット３０に掛ける作業が煩雑となるからである。
【００２８】
一方、メス柱部材１９は、例えば、熱延鋼板等の金属板をプレス成形することにより形成された長尺材であり、図６（ａ）に示すように、背面側が開放された断面略Ｃ字状または略コ字状に形成されている。すなわち、メス柱部材１９は、パネル本体１７の裏面に沿って延びるとともに当該裏面に固定ビスｋ１で固定される固定壁１９ａと、固定壁１９ａの上下方向に延びる側方端縁のうち、パネル幅方向視で内側に位置する側方端縁からパネル本体１７に対し離間するように後方に延出された内側の側壁１９ｂと、固定壁１９ａの上下方向に延びる側方端縁のうち、パネル幅方向視で外側に位置する側方端縁からパネル本体１７に対し離間するように後方に延出された外側の側壁１９ｃとを有している。なお、メス柱部材１９は、アルミニウムまたはアルミニウム合金などの金属材料を押出成形することにより製造することもでき、繊維強化プラスチック等をモールド成形、押出成形またはプレス成形することにより製造することもできる。
【００２９】
固定壁１９ａには、図６（ｃ）に示すように、固定ビスｋ１が挿通される開孔２８が上下方向に間隔をおいて複数形成されており、これにより、メス柱部材１９は図４に示すように固定ビスｋ１を介してパネル本体１７に予め固定される。
【００３０】
内側の側壁１９ｂは、図４および図６（ａ）に示すように、下地壁面Ｗに当接する延出長さを有している。外側の側壁１９ｃは、下地壁面Ｗに当接する延出長さを有するとともに、その後端縁にはパネル幅方向外側に延出する固定翼壁１９ｄが連設されている。固定翼壁１９ｄには、固定ネジｋ２が挿通される開孔２９が上下方向に間隔をおいて複数形成されており、これにより、メス柱部材１９は図４に示すように固定ネジｋ２を介してパネル本体１７とともに下地壁面Ｗに固定される。固定翼壁１９ｄは、オス柱部材１８の当接壁１８ｄまで延出し、その先端に、下地壁面Ｗとの間に当接壁１８ｄを挟みこむ段差部１９ｄ１を有している。また、固定翼壁１９ｄには、オス柱部材１８の第２の開孔２２と対向する位置に切欠き部１９ｄ２が形成されている。
【００３１】
また、外側の側壁１９ｃには、図６（ｂ）に示すように、上述した差込舌片２５が差し込まれるスリット３０が、当該差込舌片２５の高さ位置に対応して上下方向に間隔をおいて複数形成されている。パネル１２の組付け作業時に、作業スペースの関係などで、やや斜め方向からオス柱部材１８の差込舌片２５をメス柱部材１９のスリット３０へ組み付けざるを得ない状況も想定される。この際に、下地壁面Ｗに差込舌片２５の先端が突き刺さることがないよう、スリット３０は側壁１９ｃの後端縁から所定距離離して設けてもよい。また、差込舌片２５をスリット３０内に斜めに挿入できるようにするため、スリット３０の幅ｗ２は挿入される差込舌片２５の板厚の２倍以上３倍以下とすることが好ましい。さらに、スリット３０の高さ（上下方向長さ）Ｌ２については、大きく設定すれば組み付け易くなるものの、メス柱部材１９の全体強度を維持する必要もあることから、差込舌片２５をスリット３０内に円滑に差し込むことができるようにするとともに差し込んだ状態でのガタを防止する観点から、スリット３０の高さＬ２は、差込舌片２５の上下方向長さＬ１の１．０５倍以上１．３倍以下とすることが好ましい。
【００３２】
メス柱部材１９はオス柱部材１８よりもその板厚を小とすることが好ましい。これは、強度とコストの関係に基づくものであり、つまり、オス柱部材１８はパネル本体１７の荷重を受けると同時に、ブラケットＢから掛かる曲げモーメントにより側方視でＳ字に歪むような力を受けることになるため、固定壁１８ａおよび側壁１８ｂ，１８ｃにおいて必要な強度を保つ必要がある。さらにブラケットＢからの垂直荷重が固定壁１８ａから離れた位置にある差込舌片２５に加わるため、当該差込舌片２５においても必要な強度を保つ必要がある。これに対して、メス柱部材１９は、パネル本体１７の荷重を受ける点では同じであるが、オス柱部材１８の差込舌片２５からの荷重を固定壁１９ａから近い側壁１８ｃで受けるため、必要な強度は小さくて済む。よって、メス柱部材１９の板厚をオス柱部材１８の板厚よりも小さくすることで、必要強度を確保しつつ材料費および加工費の低コスト化を実現することができる。
【００３３】
最後に、右エンドパネル１３および左エンドパネル１４の構成について簡単に説明する。右エンドパネル１３は、パネル１２よりも幅が小さい長尺板状のパネル本体３３（図９参照）を有し、その裏面に上述したメス柱部材１９が固定ビスｋ１により予め固定されたものである。左エンドパネル１４は、パネル１２よりも幅が小さい長尺板状のパネル本体３４（図１３参照）を有するが、オス柱部材１８は予め固定されておらず、オス柱部材１８を下地壁面Ｗに固定されたメス柱部材１９に掛着するとともに下地壁面Ｗにネジで固定した後に、当該オス柱部材１８にパネル本体３４を固定してなるものである。また、右エンドパネル１３のメス柱部材１９は、パネル１２のメス柱部材１９と同じものであり、左エンドパネル１４のオス柱部材１８は、パネル１２のオス柱部材１８と同じものであるので、両エンドパネル１３，１４のための柱部材を別に用意する必要がなく、コスト的に有利である。
【００３４】
次に、上述した本実施形態のパネル１２の複数を用いてパネル構造体１１を構築する方法について説明する。なお、図示例では、パネル１２，１３，１４の長さが長いため、各パネル１２，１３，１４は、オス柱部材１８およびメス柱部材１９を２対備えている。図７は、所定の下地工事がなされた下地壁面Ｗを示している。まず、図８に示すように、下げ振りおよびレーザ墨出し機等を用いて下地壁面Ｗへの垂直墨出しを行う。続いて、図９に示すように、右エンドパネル１３の右端を垂直墨に合わせるとともに高さ調整板等で任意の高さを調整した状態で固定ネジｋ２により右エンドパネル１３のメス柱部材１９を下地壁面Ｗに固定する。
【００３５】
続いて、図１０（ａ）に示すように、パネル１２の裏面を下地壁面Ｗに対面させた状態で当該パネル１２を右エンドパネル１３に向けて横にスライドさせ、パネル１２のオス柱部材１８の全ての差込舌片２５を右エンドパネル１３のメス柱部材１９のスリット３０にそれぞれ差し込んで掛着する。このとき、図１０（ｂ）に示すように、パネル１２のパネル本体１７と右エンドパネル１３のパネル本体３３との間には一定幅の隙間Ｓが形成されるとともに、差込舌片２５が翼壁１８ｅの基端位置から離れて形成されているため、オス柱部材１８の外側の側壁１８ｃとメス柱部材１９の外側の側壁１９ｃとの間には隙間Ｇが形成される。このような隙間Ｇの存在により、パネル１２を右エンドパネル１３または他のパネル１２に掛着させる際、オス柱部材１８の差込舌片２５をスリット３０へ斜めに差し込み易くすることができるという利点がある。この状態で、あるいは隙間Ｓの幅を調整したい場合にはパネル本体１７とパネル本体３３との間に隙間調整板を挟み入れた状態で、図１１に示すように、パネル１２のメス柱部材１９を固定ネジｋ２を用いて下地壁面Ｗに固定する。以下、この作業を繰り返し行い、図１２に示すように、必要枚数のパネル１２を下地壁面Ｗに取り付ける。
【００３６】
次いで、最も左側に位置する幅広のパネル１２の左隣に左エンドパネル１４を取り付ける。左エンドパネル１４を構成するパネル本体３４の裏面には、図１３に示すような掛着ピン３５が複数螺着されている。符号３６は、パネル本体３４と下地壁面Ｗとの間に所定の隙間を保持するスペーサアングルである。ここではまず、図１４に示すように、パネル１２のメス柱部材１９にオス柱部材１８を単体のまま掛着し、第２の開孔２２に挿通される皿ネジ形の固定ネジｋ３を用いて下地壁面Ｗに固定する。その後、このオス柱部材１８の固定壁１８ａの表面に接着剤を塗布し、左エンドパネル１４のパネル本体３４に取り付けられた掛着ピン３５の平坦な頭部を、下地壁面Ｗに固定したオス柱部材１８のだるま孔形状の第３の開孔２３に挿入してその下部の両脇のせり出し部に引っ掛けるとともに、当該パネル本体３４をオス柱部材１８の固定壁１８ａに接着する。これにより、左エンドパネル１４の取付けが完了し、図１に示したようなパネル構造体１１が構築される。なお、パネル本体３４をオス柱部材１８に固定する必要がない場合は、接着の行程は省略してもよい。
【００３７】
このように、パネル本体１７とオス柱部材１８およびメス柱部材１９とからなるパネル１２は、工場等で予め組み立てることができるので、パネル構造体１１の施工現場では、パネル１２を組み付けていくだけで隣り合うパネル本体１７間に所定寸法の隙間Ｓを正確に設定しつつ、これらのパネル本体１７を相互に連結することができる。したがって、上記従来の間柱材と比べて、墨出し作業を大幅に簡素化することができるとともに、パネル１２を施工現場でカットしたり、組み付けの際にパネル１２の位置を調整したりする必要もなく、パネル構造体１１を極めて容易に構築することができる。また、その隙間Ｓは十分に狭く設定することもでき、例えば１〜５ｍｍ程度の極狭い隙間とすることで、ブラケットＢを適度に挟み込み、脱落防止の効果を持たせることもできる。あるいは隙間なしに設定することも可能であるので、隙間Ｓが目立たず、美観を損なうことがない。
【００３８】
また、本実施形態では、作業者が両手でパネル１２を持つと差込舌片２５とスリット３０の連結箇所を近くで目視することが難しい状況となるが、スリット３０をメス柱部材１９の側壁１９ｃに設けたことにより、パネル１２の背面のオス柱部材１８およびメス柱部材１９を下地壁面Ｗに押し当ててパネル１２をスライドさせるだけで連結させることができるため、組立てが容易である。
【００３９】
さらに、本実施形態では、オス柱部材１８およびメス柱部材１９をそれらの背面側が開放された断面略Ｃ字状に形成したことから、これらをパネル本体１７に固定するに際しての背面側からの作業が容易であるとともに材料のコストを減らすことができる。また、パネル本体１７と下地壁面Ｗとの間や、オス柱部材１８の固定壁１８ａおよびメス柱部材１９の固定壁１９ａと下地壁面Ｗとの間に、配線や照明、コンセント等のための収納スペースとして利用できる空間Ｒ（図４参照）を形成することができる。
【００４０】
さらに、本実施形態では、図４に示すように、メス柱部材１９の固定翼壁１９ｄをオス柱部材１８の当接壁１８ｄまで延出させ、その先端の段差部１９ｄ１において当接壁１８ｄを下地壁面Ｗとの間に挟み込む構成としたことにより、ブラケットＢから曲げモーメントが負荷された際のオス柱部材１８の変形をメス柱部材１９の固定翼壁１９ｄにより規制ないし抑制することができるため、オス柱部材１８の必要強度を減らすことが可能となり、オス柱部材１８の薄肉化を図ることができる。
【００４１】
図１６に、本発明の他の実施形態のパネル構造体を示す。本実施形態は、複数のパネル１２のうちの１つをＬ字状に形成し、当該Ｌ字状のパネル１２を下地壁面Ｗの角部に配置した例である。このようにパネル１２の形状を変えることで、湾曲した下地壁面Ｗ等、様々な形状の下地壁面Ｗに適合させることができる。
【００４２】
図１７に、本発明のさらに他の実施形態を示す。本実施形態では、メス柱部材１９のスリット３０の形状が前述の実施形態のものとは異なり、スリット３０の幅が下部において狭く設定されている。具体的には、スリット３０は下方に向かうに従いその幅を減少させる傾斜ガイド部３０ａと、該傾斜ガイド部３０ａから下方に直線状に延びる狭窄部３０ｂとを有している。このようにスリット３０の幅を下部において狭く設定することにより、組み付けられたパネル１２同士のガタつきを抑え、強固に結合することができ、パネル構造体の強度を向上させることができる。
【００４３】
以上、図示例に基づき本発明を説明したが、本発明は前述の実施の形態に限定されず、特許請求の範囲の記載内で種々の変更、追加を行うことが可能である。例えば、前述の実施形態では、メス柱部材１９の固定翼壁１９ｄの先端部と下地壁面Ｗとの間にオス柱部材１８の当接壁１８ｄを挟み込む例について説明したが、オス柱部材１８の当接壁１８ｄの先端縁に溝を形成し、当該溝内にメス柱部材１９の固定翼壁１９ｄの対応する形状の先端を挿入するようにしてもよい。あるいは、メス柱部材１９の固定翼壁１９ｄは、オス柱部材１８の当接壁１８ｄの手間で終端し、当接壁１８ｄを支持しないものであってもよい。
【００４４】
また、前述の実施形態では、正面視でパネル１２の右端部にオス柱部材１８を左端部にメス柱部材１９を設ける例について説明したが、パネル１２の右端部にメス柱部材１９を、左端部にオス柱部材１８を設けてもよい。このようにした場合、下地壁面Ｗへのパネル１２の取り付け方向は逆になり、左から右に順次取り付けることになる。
【００４５】
さらに、前述の実施形態では、縦長のパネル１２について説明したが、パネル１２は横長でも正方形でもよい。
【００４６】
さらに、前述の実施形態では、断面略Ｃ字形状のオス柱部材１８およびメス柱部材１９について説明したが、オス柱部材１８およびメス柱部材１９の断面形状はこれに限られず、概略角形としてもよい。
【００４７】
さらに、前述の実施形態では、その自重を利用して、複数のパネル１２を相互に連結して壁面としてのパネル構造体１１を構築する例について説明したが、本発明は壁面に限られず、柱材、天井材や床材、什器、家具などを組み立てる場合にも用いることができ、天井や床が傾斜面であるような場合は特に有効である。
【００４８】
さらに、前述の実施形態では、図１０（ｂ）に示したように、パネル１２を組み付けた際、オス柱部材１８およびメス柱部材１９間には隙間Ｇが形成されると説明したが、図１８（ａ）に示すように差込舌片２５を外側の側壁１８ｃの後端縁に隣接して形成し、パネル１２の組付け時にオス柱部材１８の外側の側壁１８ｃがメス柱部材１９の外側の側壁１９ｃに当接するようにしてもよい（図１８（ｂ）参照）。
【産業上の利用可能性】
【００４９】
本発明によれば、複数のパネルを相互に連結してなるパネル構造体を容易に施工することができる。
【符号の説明】
【００５０】
１０  ディスプレイウォール
１１  パネル構造体
１２  パネル
１３  右エンドパネル
１４  左エンドパネル
１６  連結柱
１６ａ  掛着孔
１８  オス柱部材
１８ａ  固定壁
１８ｂ，１８ｃ  側壁
１８ｄ  当接壁
１８ｅ  翼壁
１９  メス柱部材
１９ａ  固定壁
１９ｂ，１９ｃ  側壁
１９ｄ  固定翼壁
１９ｄ１  段差部
２５  差込舌片
２５ａ  アンダーカット
３０  スリット
３０ａ  傾斜ガイド部
３０ｂ  狭窄部
Ｂ  ブラケット
ｂ１  掛止片
Ｓ  隙間
Ｇ  隙間
【図１】
2017206840.tif 000003
【図２】
2017206840.tif 000004
【図３】
2017206840.tif 000005
【図４】
2017206840.tif 000006
【図５】
2017206840.tif 000007
【図６】
2017206840.tif 000008
【図７】
2017206840.tif 000009
【図８】
2017206840.tif 000010
【図９】
2017206840.tif 000011
【図１０】
2017206840.tif 000012
【図１１】
2017206840.tif 000013
【図１２】
2017206840.tif 000014
【図１３】
2017206840.tif 000015
【図１４】
2017206840.tif 000016
【図１５】
2017206840.tif 000017
【図１６】
2017206840.tif 000018
【図１７】
2017206840.tif 000019
【図１８】
2017206840.tif 000020